(57)【要約】【課題】本考案は、コンセントのハウジングに備えられた回転リングを回転させることにより、プラグの端子を固定可能とし、コンセントの体積が大きくならず、外形が対照となるプラグ離脱防止用コンセントを提供することを課題とする。【解決手段】プラグ離脱防止用コンセントは、ハウジングと、締付機能を有するコンセント本体と、回転リングとを含み、ハウジングが前ハウジングと後ハウジングとから構成され、前ハウジングの正面にプラグの端子を挿入する挿入穴が設けられ、後ハウジングの後端からケーブルが延設され、コンセント本体が後ハウジング内部に収容され、コンセント本体に少なくとも一対の導電クリップが設けられ、回転リングがコンセント本体の外側に回転可能に嵌合され、回転リングが回転されると、コンセント本体が導電クリップを圧迫することによる。【選択図】図４
0003123906.tif 000002
【実用新案登録請求の範囲】
【請求項１】
ハウジングと、締付機能を有するコンセント本体と、回転リングとを含むプラグ離脱防止用コンセントであって、
前記ハウジングが前ハウジングと後ハウジングとから構成され、
前記前ハウジングの正面に、プラグの端子を挿入する挿入穴が設けられ、
前記後ハウジングの後端から、ケーブルが延設され、
前記コンセント本体が、後ハウジング内部に収容され、
前記コンセント本体に、少なくとも一対の導電クリップが設けられ、
前記回転リングが、コンセント本体の外側に回転可能に嵌合され、
前記回転リングが回転されると、コンセント本体が導電クリップを圧迫することを特徴とする、プラグ離脱防止用コンセント。
【請求項２】
前記コンセント本体が、前本体と後本体とから構成され、
前記前本体がヘッド部及び円筒体を含み、
前記ヘッド部の直径が円筒体よりも大きく、
前記ヘッド部に挿入穴が設けられ、
前記回転リングが円筒体上で回転可能であり、
前記後本体に、導電クリップを設置する導電クリップ台が少なくとも２つ設けられることを特徴とする、請求項１に記載のプラグ離脱防止用コンセント。
【請求項３】
前記円筒体の前記ヘッド部の挿入穴に隣接する箇所に、バネが設けられ、
前記バネの前端に、円筒体の外側に突出した円弧形突起及び円筒体の内側に突出した突起が設けられ、
前記回転リングの内壁に、円弧形突起の形状に対応する円弧形溝が形成され、
前記後本体の導電クリップ台が、中間ブロックと中間ブロックの両側に設けられた側板とから構成され、
前記側板が凸部を有し、該凸部が導電クリップと接触し、
前記後本体に前本体の円筒体がはめ込まれ、側板がバネの突起と接触し、
前記回転リングが回転されると、円弧形突起が円弧形溝から外れバネが内側に押され、突起が内側に移動し側板を押さえ、側板の凸部が導電クリップを圧迫し、導電クリップに挿入されたプラグの端子が固定されることを特徴とする、請求項２に記載のプラグ離脱防止用コンセント。
【請求項４】
前記前本体のヘッド部に案内ブロックが設けられ、
前記回転リングに案内溝が設けられ、
前記案内ブロックと案内溝とが嵌合されることを特徴とする、請求項２又は３に記載のプラグ離脱防止用コンセント。
【請求項５】
前記コンセント本体にアースクリップが設けられ、
前記ヘッド部にアース用挿入穴が設けられることを特徴とする、
請求項２〜４の何れか一に記載のプラグ離脱防止用コンセント。
【考案の詳細な説明】
【技術分野】
【０００１】
本考案はコンセントに関し、特に、プラグ離脱防止用コンセントに関する。
【背景技術】
【０００２】
壁面に設けたコンセントから、電力をケーブルにより離れた箇所まで供給することは一般的であるが、コンセントは長期間使用されると、内部に設けられた導電クリップのプラグの端子を挟む力が弱くなり、プラグとコンセントの接触不良を招き、電力供給が不安定になり、さらに火災をおこす可能性もあった。
【０００３】
台湾特許第Ｍ261875号公報には、本願願書に添付した図面の図１及び２に示すように、ハウジング９１とコンセント体９２と、ロック装置９３とを含む「コンセント用ロック装置」が開示されている。ロック装置９３のツマミ９３１を回転させることにより、突起部９３１４が圧迫ブロック９３２のサイド支えブロック９３２３の上面を圧迫する。フック９３３の突起が回転すると、その突起部が圧迫ブロック９３２の突起９３２４上を移動し、圧迫ブロックの溝９３３２に落ち込み、圧迫ブロック９３２が下方向へ移動可能となり、圧迫ブロック９３２の圧制端子９３２５が下方向へ移動する。嵌め溝９３２６がプラグ９６１を圧迫し、圧制端子９３２５が固定される。ロック装置９３を逆方向に回転させると、フック９３３の突起は、溝９３３２から圧迫ブロック９３２の突起９３２４上へと移動し、フック９３３の突起が圧迫ブロック９３２を上方向へ移動させ、端子９３２５を圧制し、プラグをコンセントから離脱することができる。
【０００４】
しかしながら、ツマミ９３１がハウジング９１から突出し、コンセントの体積が大きくなり、コンセントの外観を損なうものとなる。
【特許文献１】台湾特許第Ｍ261875号公報
【考案の開示】
【考案が解決しようとする課題】
【０００５】
本考案の目的は、コンセントのハウジングに備えられた回転リングを回転させることにより、プラグの端子を固定可能とし、コンセントの体積が大きくならず、外観を損なわないプラグ離脱防止用コンセントを提供することである。
【課題を解決するための手段】
【０００６】
本考案者は、鋭意研究を重ねた結果、コンセントのハウジング内に締付機能を有するコンセント本体を設け、締付機能を操作する回転リングを備えることによって上記課題を解決するプラグ離脱防止用コンセントを完成した。
【０００７】
すなわち、本考案のプラグ離脱防止用コンセントは、以下よりなる。
１．ハウジングと、締付機能を有するコンセント本体と、回転リングとを含むプラグ離脱防止用コンセントであって、
前記ハウジングが前ハウジングと後ハウジングとから構成され、
前記前ハウジングの正面に、プラグの端子を挿入する挿入穴が設けられ、
前記後ハウジングの後端から、ケーブルが延設され、
前記コンセント本体が、後ハウジング内部に収容され、
前記コンセント本体に、少なくとも一対の導電クリップが設けられ、
前記回転リングが、コンセント本体の外側に回転可能に嵌合され、
前記回転リングが回転されると、コンセント本体が導電クリップを圧迫することを特徴とする、プラグ離脱防止用コンセント。
２．前記コンセント本体が、前本体と後本体とから構成され、
前記前本体がヘッド部及び円筒体を含み、
前記ヘッド部の直径が円筒体よりも大きく、
前記ヘッド部に挿入穴が設けられ、
前記回転リングが円筒体上で回転可能であり、
前記後本体に、導電クリップを設置する導電クリップ台が少なくとも２つ設けられることを特徴とする、前項１に記載のプラグ離脱防止用コンセント。
３．前記円筒体の前記ヘッド部の挿入穴に隣接する箇所に、バネが設けられ、
前記バネの前端に、円筒体の外側に突出した円弧形突起及び円筒体の内側に突出した突起が設けられ、
前記回転リングの内壁に、円弧形突起の形状に対応する円弧形溝が形成され、
前記後本体の導電クリップ台が、中間ブロックと中間ブロックの両側に設けられた側板とから構成され、
前記側板が凸部を有し、該凸部が導電クリップと接触し、
前記後本体に前本体の円筒体がはめ込まれ、側板がバネの突起と接触し、
前記回転リングが回転されると、円弧形突起が円弧形溝から外れバネが内側に押され、突起が内側に移動し側板を押さえ、側板の凸部が導電クリップを圧迫し、導電クリップに挿入されたプラグの端子が固定されることを特徴とする、前項２に記載のプラグ離脱防止用コンセント。
４．前記前本体のヘッド部に案内ブロックが設けられ、
前記回転リングに案内溝が設けられ、
前記案内ブロックと案内溝とが嵌合されることを特徴とする、前項２又は３に記載のプラグ離脱防止用コンセント。
５．前記コンセント本体にアースクリップが設けられ、
前記ヘッド部にアース用挿入穴が設けられることを特徴とする、
前項２〜４の何れか一に記載のプラグ離脱防止用コンセント。
【考案の効果】
【０００８】
本考案によれば、プラグをコンセントに挿入し、回転リングを回転させることによりプラグの端子を固定することができ、回転リングがコンセントのハウジングに設けられるので、コンセントの体積が小さくなり、ツマミにより外観が損なわれることもない。
【考案を実施するための最良の形態】
【０００９】
以下に、本考案の一実施形態を示し、具体的に説明するが、本考案はこれらに限定されるものではない。
【００１０】
図３及び図４に示すように、本考案の離脱防止用コンセントは、後ハウジング１１と前ハウジング１２とから構成される円柱形状のハウジングを有する。前ハウジング１２の正面にはプラグの端子を挿入するための３つの挿入穴１２１、１２２、及び１２３が設けられる。その挿入穴の矩形の挿入穴１２１及び１２２はプラグの導電端子を挿入するためのものであり、円形の挿入穴１２３はプラグのアース端子を挿入するためのものである。後ハウジング１１の内部には、後本体２１と前本体２２とから構成された締付機能を有するコンセント本体が収容され、後ハウジングの後端からケーブルが延設される。前本体２２と後本体２１との間には回転可能なリング３０が嵌合される。
【００１１】
コンセント本体には、導電クリップ４１と、アースクリップ４２とが設けられ、回転リング３０が回転すると、コンセント本体が導電クリップ４１を圧迫して、プラグの導電端子を挟む。
【００１２】
図５及び６は本考案の離脱防止用コンセントの断面図であり、締付機能を有するコンセント本体の構造を示すものである。前本体２２はヘッド部２２４及び円筒体２２５を有し、ヘッド部２２４には挿入穴２２１、２２２、２２３が設けられ、ヘッド部２２４の直径はその後方の円筒体２２５よりも大きい。円筒体２２５の挿入穴２２１及び２２２に隣接する箇所にはバネ２２６が設けられ、図６に示すようにバネ２２６の前端には、円筒体２２５の外側に突出した円弧形突起２２６ａ及び円筒体２２５の内側に突出した突起２２６ｂが設けられる。また、前本体２２のヘッド部２２４には案内ブロック２２７が設けられる。
【００１３】
回転リング３０は円筒体２２５上に回転可能に嵌合される。回転リング３０には、案内溝３１が設けられ、ヘッド部２２４から突出した案内ブロック２２７に合わせられ、回転リング３０の回転角度を制限する。回転リング３０の内壁には、円筒体２２５のバネ２２６の円弧形突起２２６ａの形状に対応した、円弧形溝３２が形成される。回転リング３０が回転されると、図７に示すように円弧形突起２２６ａが円弧形溝３２から外れ、バネ２２６が内側に押され、突起２２６ｂが内側に移動する。
【００１４】
後本体２１の内部には、導電クリップ４１及びアースクリップ４２が取り付けられ、それらを収容するための、２つの導電クリップ台２１１及びアースクリップ台２１２が設けられる。導電クリップ台２１１は、後本体２１内に設けられる中間ブロック２１３と中間ブロック２１３の両側に設けられた側板２１４とから構成され、側板２１４は、凸部２１４ａを有し、導電クリップ４１と接触する。後本体２１内に前本体２２の円筒体２２５がはめ込まれ、側板２１４がバネ２２６の突起２２６ｂと接触する。回転リング３０を回転させ、突起２２６ｂが内側に移動すると、側板２１４の凸部２１４ａが導電クリップ４１を圧迫し、導電クリップ４１に挿入されたプラグの導電端子が固定される。また、側板２１４の凸部２１４ａが、プラグの導電端子を直接圧迫するよう設計することも可能である。
【００１５】
本考案のプラグ離脱防止用コンセントの挿入穴１２１、１２２、及び１２３に、プラグの端子が挿入され、プラグの導電端子及びアース端子が導電クリップ４１及びアースクリップ４２に連接される。プラグをコンセントに取り付けた後、回転リング３０を図６の矢印で示す方向に回転させると、図７に示すように、コンセント本体の締付機能が作動し、プラグの導電端子が固定される。プラグをコンセントから抜き出す際には、回転リングを図６の矢印と反対方向に回転させ、コンセント本体の締付機能を解除し、プラグをコンセントから抜き出す。
【産業上の利用可能性】
【００１６】
本考案により、体積が小さく、外形が対称なプラグ離脱防止用コンセントを提供可能となる。
【図面の簡単な説明】
【００１７】
【図１】従来のコンセント用ロック装置の斜視図である。（特許文献１）
【図２】従来のコンセント用ロック装置の断面図である。（特許文献１）
【図３】本考案のプラグ離脱防止用コンセントの斜視図である。
【図４】本考案のプラグ離脱防止用コンセントの分解図である。
【図５】本考案のプラグ離脱防止用コンセントの側断面図である。
【図６】本考案のプラグ離脱防止用コンセントの正断面図である。
【図７】本考案のプラグ離脱防止用コンセントの正断面図である。
【符号の説明】
【００１８】
１１    後ハウジング
１２    前ハウジング
１２１  挿入穴
１２２  挿入穴
１２３  挿入穴
２１    後本体
２１１  導電クリップ台
２１２  アースクリップ台
２１３  中間ブロック
２１４  側板
２１４ａ  凸部
２２    前本体
２２１  挿入穴
２２２  挿入穴
２２３  挿入穴
２２４  ヘッド部
２２５  円筒体
２２６  バネ
２２６ａ  円弧形突起
２２６ｂ  突起
３０    回転リング
３１    案内溝
３２    円弧形溝
４１    導電クリップ
４２    アースクリップ
９１    ハウジング
９２    コンセント体
９３    ロック装置
９３１  ツマミ
９３１４  突起部
９３２  圧迫ブロック
９３２３  サイド支えブロック
９３２４  突起
９３２５  圧制端子
９３２６  嵌め溝
９３３  フック
９３３２  溝
９６１  プラグ
【図１】
0003123906.tif 000003
【図２】
0003123906.tif 000004
【図３】
0003123906.tif 000005
【図４】
0003123906.tif 000006
【図５】
0003123906.tif 000007
【図６】
0003123906.tif 000008
【図７】
0003123906.tif 000009